(57)【特許請求の範囲】
【請求項１】
床材を支持する床支持具（９）とスラブ面との間に介在させ、全体が弾性材で形成された床支持具の緩衝装置において、
上部に上記床支持具（９）の下端部を支持する受圧部（６）と、
上記受圧部（６）の側部からスラブ面に向けて末広がり状に、かつ受圧部（６）より外方へ延出して形成させるとともに、スラブ面に接する接面部（１１）が下方向に凸の弧状形をなす複数の舌片部（２）と、
上記舌片部（２）の接面部（１１）より上方に形成されるとともに、下端部が上記受圧部（６）の下面部（７）より下方に形成され、上記舌片部（２）同士の間を繋ぐ形状に形成された連結部（３）と、を有することを特徴とする床支持具の緩衝装置。
【発明の詳細な説明】
【０００１】
【発明の属する技術分野】
本発明は、床支持具の緩衝装置に関する。
【０００２】
【従来の技術】
従来より、集合住宅や体育館などの床下地構造では、ゴム製の弾性体を支持具の下端に取り付けて、床の衝撃等を緩和するものがある。例えば、特許第２７６１５４１号公報に記載の「床下地構造」は、図６に示すように、弾性体３１の内部に空間部３２を形成し、この空間部３２と外部とを連通させる空気逃げ穴３３を弾性体に設け、また、弾性体の高さ方向の一部の肉厚を薄く形成した構成である。
【０００３】
この床下地構造によれば、床を通常時の軽量な圧力で使用する場合においては、弾性体３１の変形は微小であり、居住環境を損なうことがなく、また弾性体３１の一部を座屈し易く構成してあるので、緩衝時にのみ弾性体或いは弾性体の一部が大きく変形し、遮音性能が良いというものである。
【０００４】
【発明が解決しようとする課題】
しかし、上記床支持装置は、重量の床圧に対しては弾性効果が十分得られるが、弾性体の変形による床の沈み込みが大きくなり、このため、床上に載置する家具、備品等の重量を制限する必要があるという問題がある。また、弾性体として、ゴム材等を円柱状に形成し、その下面部に複数の凸部を設けたものがあるが、凸部を高くすれば弾性効果が得られるものの、逆に安定性に欠けるという問題がある。
【０００５】
本発明は、上記問題点に鑑みてなされたものであり、衝撃緩和に優れるとともに対荷重特性にも優れた床支持具の緩衝装置を提供することを目的とする。
【０００６】
【課題を解決するための手段】
以上の技術的課題を解決するため、本発明に係る床支持具の緩衝装置は、図１に示すように、床材を支持する床支持具９とスラブ面との間に介在させ、全体が弾性材で形成された床支持具の緩衝装置において、上部に上記床支持具９の下端部を支持する受圧部６と、上記受圧部６の側部からスラブ面に向けて末広がり状に、かつ受圧部６より外方へ延出して形成されるとともに、スラブ面に接する接面部１１が弧状形をなす複数の舌片部２と、を有する構成である。
【０００７】
また、本発明に係る床支持具の緩衝装置は、上記舌片部２同士の間を繋ぐとともに、下端部が受圧部６の下面部７より下方でかつ上記舌片部２の接面部１１の上方に形成される連結部３を有する構成である。
【０００８】
【発明の実施の形態】
以下、本発明の実施の形態を図面に基づいて説明する。
この実施の形態に係る床支持具の緩衝装置１は、図１に示すように、全体がゴム、合成樹脂等の弾性材からなり、形状は中央部から下方に向けて拡開した末広がりの形状からなり、４片の舌片部２を有している。
【０００９】
上記緩衝装置１は、中央の上面部４に、床支持具としての支持ボルト９を固定する開口部が縮径した円柱状の凹部５が設けられ、この凹部５の下部には、弾性材が満たされた受圧部６が形成されている。この受圧部６の外側には、スラブ面１０に向けて舌片部２が、等角度で４方向かつ末広がり状に形成されている。この実施の形態では、上記舌片部２は４片としたが、他に３片、５片或いはそれ以上とすることができ、また舌片部の横幅を十分大きくとれば２片とすることも可能である。上記受圧部６の周囲には、舌片部２間をつなぐように連結部３が設けられ、受圧部６の下面部７の下方には、中空部８が形成されている。
【００１０】
さらに詳しくは、図２（ａ）（ｂ）に示すように、上記各舌片部２の接面部１１は受圧部（６）より外方へ延出し、かつ弾性作用により、荷重の大きさに従ってスラブ面１０への接触面積が漸増する弧状に形成される一方、上記連結部３は下方に向けて拡開形成されている。連結部３は舌片部２の接面部１１から上方の位置に、隣接する舌片部２同士を環状に連結してスカート状に形成され、その端縁は舌片部２の先端から少し内側に位置している。この連結部３の下端部１２は、受圧部６の下面部７より下方に位置し、また舌片部２の接面部１１よりも上方に位置している。
【００１１】
上記連結部３の下端部１２を、舌片部２の接面部１１より高い位置に設けたのは、床上から大きな衝撃を受けたとき、舌片部２のみの極端な沈み込みを連結部３の弾性耐圧力を加えて防止するためであり、さらには、床上から衝撃を受けたときに、上記中空部８内の空気を連結部３の下方に形成された空気逃げ部１３から逃がすためである。
【００１２】
図３は、上記緩衝装置１に圧力が加わった場合の、沈み込みの様子を示すものである。同図（ａ），（ｂ）は、通常の床圧時（圧力１）における緩衝装置１を示すもので、舌片部２のみがスラブ面１０に接して、舌片部２のみの弾性力によって緩衝装置１が支持されている。同図（ｃ）は、床圧が増した場合（圧力２）を示すものであり、さらに舌片部２が外向きに弾性変形して連結部３がスラブ面１０に接するので、舌片部２に加えて連結部３の耐圧力が作用し、以降の沈み込みを緩和する。
【００１３】
この連結部３は、重量衝撃による過大な沈み込みを防止するために設けられたものであり、床スラブより約３ｍｍ程度上方に位置している。このため、重量衝撃が大きい場合には連結部３が沈み込みを防止し、また連結部３は先端方向にゆくに従い肉薄となるスカート状であるため衝撃を緩やかに抑えて緩衝効果を発揮する。
【００１４】
同図（ｄ）は、さらに床圧が増した場合（圧力３）を示すものであり、受圧部６の下面部７が直接スラブ面１０に接して、これ以降は受圧部６の弾性材自体の耐圧力が作用する。つまり、受圧部６は、緩衝装置１に圧力が加わった場合の沈み込みのストッパ的な役割を果たす。
【００１５】
図４は上記緩衝装置１を用いた床構造を示すもので、緩衝装置１に支持ボルト９の下端部１５を圧入し弾性嵌合する一方、支持ボルト９の上部に受け板２１を螺合して高さ調節可能な床支持脚２０を組立てる。受け板２１の上面中央部には、隣接して敷設される床パネル２５を一定間隔で敷設する間隔保持突起２２が形成されている。工具を用いて床パネル２５の高さ調整する場合には、支持ボルト９の上端部に設けられている工具係合溝（図示せず）を回転操作することで、支持ボルト９が回転し高さ調整が行える。床パネル２５は矩形形状の板材であり、床パネル２５のコーナ近傍の４箇所を床支持脚２０で支持する。その際、上記間隔保持突起２２を床パネル２５のコーナ近くの４箇所に設けた孔部２６に突入して固定する。
【００１６】
床の壁際に設けられる床支持脚２３についても、緩衝装置１に支持ボルト９を立設して、この支持ボルト９に受け板２４を高さ調節自在に取付ける。この受け板２４の上面部は平坦で突起はなく、また面積も比較的狭く重量に耐える構造となっている。床パネル２５の上部には、フローリング材２７を敷設する。
【００１７】
図５は、上記床支持脚２０を用いた一般的な床の施工例を示したものである。この床構造は、スラブ面１０の所定位置に床支持脚２０を立設し、床パネル２５の孔部２６に各床支持脚２０の間隔保持突起２２を嵌めて、床パネル２５を床支持脚２０に載置固定したものである。上記床パネル２５の上部に捨て板２８を張り、さらにフローリング材２７を敷設して仕上げる。
【００１８】
社内で行った衝撃試験によれば、従来の当社製品である、周囲が少し下方に突出した円柱状のゴム製の緩衝装置と比べて、振動周波数の低い（２５０Ｈｚ以下）衝撃に対して衝撃音が減衰する等の改善が見られた。
【００１９】
上記実施の形態に係る床支持具の緩衝装置１によれば、舌片部２の接面部１１はスラブ面に接触する面が弧状をなしているため、接触面積が小さくて初期バネが柔らかくなるように構成されている。これにより、軽量衝撃音が発生したときには、舌片部２でこの衝撃エネルギーを減衰し吸収する。
【００２０】
また舌片部２の接面部１１は、受圧部６より放射状に延びた形状としたので、重量衝撃音が発生した場合には、舌片部２が屈曲して衝撃が吸収され、階下等への遮音性能を発揮する。さらに、舌片部２は末広がり状に延びているので、その接面部１１は受圧部６の真下より外方に位置し、このため床からの衝撃音の伝搬距離は、受圧部６自体がスラブ面と接触している構成と比べて長くなり、振動エネルギーの減衰効果が高い。
【００２１】
重量衝撃が大きい場合には、連結部３が沈み込みを防止し、衝撃を２段階に緩やか減衰させるので、階下への遮音にも寄与し、また連結部の下方の空気逃げ部により、弾性体に重量衝撃による荷重が加わった場合、弾性体の真下部に生ずる振動空気は、ここから放出されるので遮音性能を損なうことがない。
【００２２】
【発明の効果】
以上説明したように、本発明に係る床支持具の緩衝装置によれば、上部に床支持具を支持する受圧部と、末広がり状にかつ受圧部より延出して形成されるとともに、接面部が弧状形をなす複数の舌片部と、を有する構成を採用したから、軽量衝撃音が発生したときには舌片部でこの衝撃エネルギーを減衰し吸収して遮音性能に優れ、また舌片部の接面部は受圧部より外方に位置するため、床からの衝撃音の伝搬距離が確保され振動エネルギーの減衰効果が高いという効果がある。
【００２３】
また、この緩衝装置は、舌片部同士の間を繋ぎ、下端部が受圧部の下面部より下方でかつ舌片部の接面部の上方に形成される連結部を有する構成を採用したから、重量衝撃が大きい場合には、連結部が沈み込みを防止して２段階に衝撃を減衰させて階下への遮音に寄与し、また、連結部の下方に形成された空気逃げ部により、受圧部の真下部に生ずる振動空気が逃げるので遮音性能を損なうことがないという効果がある。
【図面の簡単な説明】
【図１】本発明の実施の形態に係る床支持具の緩衝装置を示す図である。
【図２】実施の形態に係る緩衝装置の（ａ）は平面図を、（ｂ）は（ａ）のＡＢＣ断面図を示す。
【図３】実施の形態に係る緩衝装置の沈み込みの様子を示すもので、（ａ），（ｂ）は通常の床圧時（圧力１）、（ｃ）は床圧が増した場合（圧力２）、（ｄ）はさらに床圧が増した場合（圧力３）の各状態を示す図である。
【図４】実施の形態に係る緩衝装置を用いた床構造を示す図である。
【図５】実施の形態に係る床の施工例を示す図である。
【図６】従来例に係る床支持構造に用いられる弾性体を示す図である。
【符号の説明】
２  舌片部
３  連結部
５  凹部
６  受圧部
９  床支持具（支持ボルト）
【図１】
0003819697.tif 000002
【図２】
0003819697.tif 000003
【図３】
0003819697.tif 000004
【図４】
0003819697.tif 000005
【図５】
0003819697.tif 000006
【図６】
0003819697.tif 000007